(57)【要約】      （修正有）【課題】取り付け及びメンテナンスが容易な埋込設置用照明器具を提供する。【解決手段】ボルト３ｂを緩めることによって、ヒンジ５を介して発光板３の他側を下方に回動できる。ケース体２の底面部２ａの内側が開放しケース体２の下側からアクセス可能になる。ヒンジ５を介して発光板３の他側を上方に回動させてボルト３ｂを固定することにより、発光板３をケース体２内に水平に収容できる。ケース体２から発光板３を取り外すことなく、取付ボルトＡをケース体２に挿通させて取り付けることができる。ケース体２内の安定器の点検作業や、交換作業を容易に行うことができる。【選択図】図５
0003174800.tif 000002
【実用新案登録請求の範囲】
【請求項１】
天井面等に埋め込まれて設置される埋込設置用照明器具であって、
平板状の底面部、この底面部の周縁を覆う周面部、および下方に向けて開口する開口部を備えた器具本体と、
平板状の板材、およびこの板材の一主面に実装された複数の発光ダイオード素子を備え、これら発光ダイオード素子を下方に向けた状態で、前記板材を前記器具本体内に収容させて取り付けられた発光板と、を具備し、
この発光板の板材は、この板材の一側縁が前記器具本体の周面部に上下方向に回動可能に接続されて、前記器具本体の底面部に対して平行にこの器具本体内に収容されて取り付けられている
ことを特徴とする埋込設置用照明器具。
【請求項２】
請求項１記載の埋込設置用照明器具において、
前記器具本体の底面部には、円形状の挿通部、およびこの挿通部に連続して設けられこの挿通部より小さな幅寸法の長穴状の固定部を有する取付開口が設けられている
ことを特徴とする埋込設置用照明器具。
【請求項３】
請求項２記載の埋込設置用照明器具において、
前記取付開口は、この取付開口の固定部の端部の円弧面の中心が、前記器具本体の底面部の中心となる位置に設けられている
ことを特徴とする埋込設置用照明器具。
【考案の詳細な説明】
【技術分野】
【０００１】
本考案は、例えば建物内の天井面等に埋め込まれて設置され、複数の発光ダイオード素子を備えた埋込設置用照明器具に関する。
【背景技術】
【０００２】
従来、この種の埋込設置用照明器具としては、例えば下記特許文献１に記載の構成の照明器具が知られている。この照明器具は、ＬＥＤチップを用いた発光行装置が取り付けられる器具本体が、造営材である天井材に貫設した長方形状の埋込穴から天井裏に挿入されて埋め込まれて設置されている。
【０００３】
また、この器具本体は、この器具本体に設けられた各ボルト挿通孔のそれぞれに、天井裏に吊り下げられた２つの取付ボルトを挿通させてボルトにて締付固定されて取り付けられている。さらに、この器具本体の各ボルト挿通孔は、取付ボルトを挿通できる程度の比較的小さな大きさの円形状に形成された構成とされている。
【０００４】
また、この器具本体には、ＬＥＤが取り付けられた器具本体にねじ止めして反射板が取り付けられており、器具本体を天井裏の取付ボルトに固定させてから、この器具本体にねじ止めして反射板を取り付けなければならない構成とされている。
【先行技術文献】
【特許文献】
【０００５】
【特許文献１】特開２０１１−１５０８１５号公報
【考案の概要】
【考案が解決しようとする課題】
【０００６】
しかしながら、上記特許文献１にかかる従来技術によれば、器具本体の各ボルト挿通孔が取付ボルトを挿通できる程度の比較的小さな大きさの円形状に形成されており、これら計２つのボルト挿通孔のそれぞれに取付ボルトを挿通させて取り付けられている。
【０００７】
このため、天井裏への取付ボルトの取り付け間隔が、器具本体のボルト挿通孔の間隔に適合しない場合においては、この器具本体を天井裏に取り付けることができない。また、これら計２つのボルト挿通孔のそれぞれに取付ボルトを挿通させて取り付けなければならず、これら取付ボルトを各ボルト挿通孔に挿通させる際の位置合わせに手間が掛かる。
【０００８】
さらに、器具本体にねじ止めして反射板を固定する構成であるため、この器具本体を天井裏の取付ボルトに固定してから、天井面に反射板を嵌合させつつ、この反射板を器具本体にねじ止めして取り付けなければならない。このため、天井面への取り付けが容易でないという問題を有している。
【０００９】
そこで本考案は、従来技術における上記問題を解決し、取り付けが容易な埋込設置用照明器具を提供することを目的とする。
【課題を解決するための手段】
【００１０】
この課題を解決するため、請求項１にかかる本考案は、天井面等に埋め込まれて設置される埋込設置用照明器具であって、平板状の底面部、この底面部の周縁を覆う周面部、および下方に向けて開口する開口部を備えた器具本体と、平板状の板材、およびこの板材の一主面に実装された複数の発光ダイオード素子を備え、これら発光ダイオード素子を下方に向けた状態で、前記板材を前記器具本体内に収容させて取り付けられた発光板と、を具備し、この発光板の板材は、この板材の一側縁が前記器具本体の周面部に上下方向に回動可能に接続されて、前記器具本体の底面部に対して平行にこの器具本体内に収容されて取り付けられている、ことを特徴とする埋込設置用照明器具である。
【００１１】
そして、このように構成したことにより、器具本体の発光板の板材を下方に回動させることにより、この器具本体の底面部を露出させることができ、この状態から発光板の板材を上方に回動させることにより、この発光板を器具本体内に収容させることができる。よって、発光板を器具本体から取り外す等することなく、この器具本体を天井裏の取付ボルト等に挿通させて取り付けることができるから、この器具本体の取り付けを容易にできる。
【００１２】
請求項２は、請求項１記載の埋込設置用照明器具において、前記器具本体の底面部には、円形状の挿通部、およびこの挿通部に連続して設けられこの挿通部より小さな幅寸法の長穴状の固定部を有する取付開口が設けられている、ことを特徴とする。
【００１３】
そして、このように構成したことにより、例えば天井面等に取り付けられた取付ボルトにナットが取り付けられた状態であっても、このナットを器具本体の底面部に設けられた取付開口の挿通部に挿通させてから、この取付開口の固定部に取付ボルトを嵌合させることによって、この固定部にナットを係止させることができる。よって、器具本体を取付ボルトに挿通させて取り付けた後に、この取付ボルトにナットを取り付ける作業を不要にできるから、器具本体の取り付けをより容易にできるとともに、この器具本体を確実に天井等に固定することができる。
【００１４】
請求項３は、請求項２記載の埋込設置用照明器具において、前記取付開口は、この取付開口の固定部の端部の円弧面の中心が、前記器具本体の底面部の中心となる位置に設けられている、ことを特徴とする。
【００１５】
そして、このように構成したことにより、例えば天井面等に取り付けられた取付ボルトに器具本体の取付開口の挿通部を挿通させてから、この取付開口の固定部の端部に取付ボルトが接するように器具本体を調整することによって、この器具本体の底面部の中心に取付ボルトが位置するようになる。よって、器具本体の底面部の中心位置への取付ボルトの取り付けが容易にできるとともに、この器具本体をバランス良く天井面等に取り付けることができる。
【考案の効果】
【００１６】
本考案によれば、器具本体に取り付けられている発光板の板材を下方に回動させることにより、この器具本体の底面部を露出させることができる。また、この状態から発光板の板材を上方に回動させることにより、この発光板を器具本体内に収容させることができる。よって、発光板を器具本体から取り外す等することなく、この器具本体を天井裏の取付ボルト等に挿通させて取り付けることができるから、この器具本体の取り付けを容易にできる。
【図面の簡単な説明】
【００１７】
【図１】本考案の一実施形態の埋込設置用照明器具を示す概略正面図である。
【図２】上記埋込設置用照明器具を示す概略左側面図である。
【図３】上記埋込設置用照明器具の器具本体の概略底面図である。
【図４】上記埋込設置用照明器具の取付状態において発光板を下方に回動させた状態を示す概略右側面図である。
【図５】上記埋込設置用照明器具の取付状態を示す概略右側面図である。
【考案を実施するための形態】
【００１８】
本考案の一実施形態の埋込設置用照明器具について図１ないし図３を参照して説明する。
【００１９】
＜全体構成＞
この埋込設置用照明器具１は、例えば天井裏Ｅに所定の間隔で垂直に取り付けられている取付ボルトＡに固定して、天井面Ｃに開口した略正方形状の設置開口Ｄに埋め込んで設置して使用するための照明器具である。この埋込設置用照明器具１は、図１ないし図３に示すように、下方が開口した直方体状の器具本体としてのケース体２と、このケース体２内に水平に設置された発光板３と、このケース体２の下部を閉塞する拡散板４とを備えている。
【００２０】
＜ケース体＞
ケース体２は、図３に示すように、正方形状の底面部２ａと、この底面部２ａの各縁部から垂直に下方に突出した角枠状の周面部２ｂとで構成されており、この周面部２ｂの下部には、下方に向けて開口した開口部２ｃが設けられている。さらに、周面部２ｂの下端部には、この周面部２ｂの下端縁から水平に外側に延出する係止片部２ｄが一体的に設けられている。これら各係止片部２ｄは、図３に示すように、平面視細長矩形状に形成されており、これら各係止片部２ｄの幅方向の一側縁が周面部２ｂの下端縁に一体的に接続されて構成されている。
【００２１】
さらに、ケース体２の底面部２ａには、この底面部２ａの上面側に向けて突出した収容凹部２ｅが設けられている。この収容凹部２ｅは、図３に示すように、平面視長方形状の底部２ｅａと、この底部２ｅａの周縁を覆う縁部２ｅｂとで構成されている。さらに、この収容凹部２ｅは、底部２ｅａの幅方向の中間位置が、ケース体２の底面部２ａの一方の幅方向の中間位置に合致し、この底部２ｅａの長手方向の中間位置が、ケース体２の底面部２ａの他方の幅方向の中間位置から所定間隔ほどずれた位置に設けられている。また、この収容凹部２ｅの縁部は、図４に示すように、取付ボルトＡに取り付けられるナットＢの厚さ寸法より大きな上下方向の幅寸法に形成されている。
【００２２】
そして、この収容凹部２ｅの底部２ｅａには、ケース体２を取付ボルトＡに取り付けて位置決め固定させるための取付開口２ｆが設けられている。この取付開口２ｆは、ナット挿通用の円形状の挿通部である挿通開口２ｆａと、この挿通開口２ｆａに連続して設けられたボルト挿通用の固定部としての固定開口２ｆｂとを備えている。そして、挿通開口２ｆａは、取付ボルトＡに取り付けられるナットＢの外径寸法より若干大きな内径寸法に形成されており、底面部２ａの中心位置、すなわち重心位置からずれた位置に設けられている。具体的に、この挿通開口２ｆａは、底面部２ａの一方の幅方向の中間位置であって、他方の幅方向の中間位置から所定間隔ほどずれた位置に設けられている。
【００２３】
また、固定開口２ｆｂは、取付ボルトＡの外径寸法より若干大きく、この取付ボルトＡに取り付けられるナットＢの外径寸法より小さな幅寸法を有するとともに、この取付ボルトＡの外径寸法より大きな長手寸法を有する長穴状に形成されている。さらに、この固定開口２ｆｂは、図３に示すように、この固定開口２ｆｂの長手方向の一端部が挿通開口２ｆａの周縁に連続するように設けられており、これら挿通開口２ｆａおよび固定開口２ｆｂの各中心を通過する仮想線が底面部２ａの幅方向の中心を通過する位置に設けられている。さらに、固定開口２ｆｂは、この固定開口２ｆｂの挿通開口２ｆａに連続している側とは反対側の端部である内縁部２ｆｃが円弧状に形成されている。そして、この内縁部２ｆｃは、この内縁部２ｆｃの中心点が、ケース体２の底面部２ａの一方の幅方向および他方の幅方向のそれぞれの中間位置に重なる位置、すなわち重心位置となるように設けられている。
【００２４】
＜発光板＞
発光板３は、ケース体２の底面部２ａより若干小さな略正方形板状の板材としてのプリント基板３ａを備えている。このプリント基板３ａの幅方向の一側縁には、ヒンジ５の一側片５ａが取り付けられている。このヒンジ５の他側片５ｂは、図１および図２に示すように、ケース体２の周面部２ｂの内側面の下端縁から所定間隔ほど上方に離間させた中間位置に固定されている。すなわち、このヒンジ５は、ケース体２内に水平に収容されているプリント基板３ａの一側縁を回転中心として、このプリント基板３ａの他側を上下方向に回動可能とされている。よって、ヒンジ５は、プリント基板３ａの他側を水平位置から下方に回動させることによりケース体２の底面部２ａの取付開口２ｆを露出させ、この取付開口２ｆへのアクセスを容易にさせる構成とされている。
【００２５】
さらに、プリント基板３ａの幅方向の他側部には、このプリント基板３ａをケース体２内で水平に固定するためのボルト３ｂが取り外し可能に取り付けられている。このボルト３ｂは、図２に示すように、ケース体２の周面部２ｂの内側に設けられた断面Ｌ字状の取付片部３ｃに取り付けられている。そして、プリント基板３ａは、取付片部３ｃに取り付けられたボルト３ｂを締め付け操作することによって、このプリント基板３ａが水平状態でケース体２内に取り付けられる構成とされている。
【００２６】
また、プリント基板３ａの一主面である下面には、発光素子としての複数の発光ダイオード（ＬＥＤ）３ｄがマトリクス状に実装されて取り付けられている。これら発光ダイオード３ｄは、プリント基板３ａの一側縁に取り付けられているコネクタ３ｅに電気的に接続されている。このコネクタ３ｅは、電線６ａを介して安定器７に電気的に接続されている。そして、この安定器７は、ケース体２の底面部２ａの下面側に固定されて収容されている。さらに、この安定器７には、この安定器７を外部商用電源（図示せず）等に電気的に接続するための電線６ｂが取り付けられている。そして、この電線６ｂは、電線保護チューブ６ｃにて覆われて被覆されており、ケース体２の底面部２ａに貫通させて取り付けられている。
【００２７】
＜拡散板＞
拡散板４は、図１および図２に示すように、ケース体２の開口部２ｃを覆う大きさの平板状のアクリル材等で形成されており、発光板３の各発光ダイオード３ｄから発する光が拡散板４を透過する際に、この光を下方に拡散させるものである。そして、この拡散板４は、ケース体２の周面部２ｂの対向する位置に取り付けられた一対の取付バネとしてのスプリング８を介して着脱可能にケース体２の開口部２ｃに取り付けられている。ここで、スプリング８は、拡散板４の落下防止機能を有するとともに、この拡散板４を上下方向に移動可能としており、この拡散板４にてケース体２の開口部２ｃを閉塞させる構造とされている。
【００２８】
さらに、拡散板４の周縁には、ケース体２の係止片部２ｄの下面を覆う枠状のモールとしてのフレーム体９が取り付けられており、この拡散板４の周縁がフレーム体９の内側縁部に嵌合して係止される構成とされている。
【００２９】
次に、上記一実施形態の埋込設置用照明器具１の設置方法を説明する。
【００３０】
まず、取付ボルトＡが中心位置に位置して露出するように天井面Ｃを略正方形状に切り欠いて取付開口２ｆを形成する。この後、この取付開口２ｆに埋込設置用照明器具１のケース体２を嵌合させて、このケース体２の各係止片部２ｄが天井面Ｃに接する位置まで埋め込んだ際に、このケース体２の収容凹部２ｅの底部２ｅａに係止する位置となるように、取付ボルトＡにナットＢを取り付けておく。
【００３１】
次いで、埋込設置用照明器具１のケース体２からフレーム体９および拡散板４を順次取り外してから、この埋込設置用照明器具１の発光板３のボルト３ｂを緩める等し、図４に示すように、ヒンジ５を介して発光板３の他側を下方に回動させてケース体２の底面部２ａの内側を露出させる。
【００３２】
この状態で、ケース体２を持ち上げて、このケース体２に取り付けられている安定器７への電源供給用の電線６ｂの端部を、外部商用電源等に電気的に接続させるとともに、このケース体２の取付開口２ｆの挿通開口２ｆａに、取付ボルトＡに取り付けられたナットＢを挿通させる。
【００３３】
さらに、このナットＢをケース体２の収容凹部２ｅに収容させた状態で、このケース体２を取付開口２ｆの固定開口２ｆｂ側に移動させて、この固定開口２ｆｂに取付ボルトＡを嵌合させるとともに、この固定開口２ｆｂの下面にナットＢを係止させて収容凹部２ｅ内に固定させる。
【００３４】
この後、ヒンジ５を介して発光板３の他側を上方に回動させてケース体２内にプリント基板３ａを水平に収容させ、この発光板３の一側縁を取付片部３ｃに接触させた状態で、この発光板３の一側縁をボルト３ｂにて取付片部３ｃに固定させる。
【００３５】
さらに、ケース体２の開口部２ｃにスプリング８を介して拡散板４を取り付けてから、このケース体２の各係止片部２ｄを覆うようにフレーム体９を嵌合させつつ、このフレーム体９の内側縁部に拡散板４の周縁を嵌合させて係止させることによって、埋込設置用照明器具１が天井面Ｃに取り付けられる。
【００３６】
＜作用効果＞
以上のように、上記一実の形態の埋込設置用照明器具１によれば、ケース体２の収容凹部２ｅの底部２ｅａに、ナットＢの外径寸法より若干大きな内径寸法の挿通開口２ｆａと、この挿通開口２ｆａに連続する長穴状で取付ボルトＡの外径寸法より若干大きくナットＢの外径寸法より小さな幅寸法の固定開口２ｆｂとで構成された取付開口２ｆを設けた構成とした。この結果、例えば天井面Ｃに開口させた設置開口Ｄにて露出された取付ボルトＡにナットＢを取り付けた状態であっても、このナットＢを取付開口２ｆの挿通開口２ｆａに挿通させてから、ケース体２を固定開口２ｆｂ側に移動させて、この固定開口２ｆｂに取付ボルトＡを嵌合させることによって、収容凹部２ｅの下面側の固定開口２ｆｂの周縁部にナットＢを係止させることができる。
【００３７】
したがって、この埋込設置用照明器具１のケース体２に取付ボルトＡを挿通させた後、このケース体２を天井面Ｃに押え付けながら、このケース体２に挿通されている取付ボルトＡの端部にナットＢを取り付ける等する作業を不要にでき、この埋込設置用照明器具１の天井面Ｃの取り付けを容易にできる。また同時に、取付ボルトＡに取り付けたナットＢにてケース体２を天井面Ｃに位置決めさせつつ吊り下げ支持させることができる。よって、ケース体２の各係止片部２ｄを天井面Ｃの設置開口Ｄの開口縁にねじ止め固定するだけの場合に比べ、このケース体２を天井面Ｃの設置開口Ｄに確実に位置決めして固定させることができる。
【００３８】
さらに、ケース体２の取付開口２ｆの挿通開口２ｆａを、ケース体２の底面部２ａの中心位置からずれた位置に設け、この取付開口２ｆの固定開口２ｆｂの内縁部２ｆｃの中心が、ケース体２の底面部２ａの重心位置となるようにした。この結果、例えば天井面Ｃの設置開口Ｄ内に突出している取付ボルトＡにケース体２の取付開口２ｆの挿通開口２ｆａを挿通させてから、この取付開口２ｆの固定開口２ｆａの内縁部に取付ボルトＡが接するように、ケース体２を移動させる等して位置調整することによって、このケース体２の底面部２ａの中心位置、すなわち重心位置に取付ボルトＡが位置するようにできる。
【００３９】
したがって、ケース体２の取付開口２ｆの固定開口２ｆｂの内縁部２ｆｃに取付ボルトＡを接触させる調整のみによって、この取付ボルトＡをケース体２の底面部２ａの中心位置に位置合わせできる。よって、このケース体２の底面部２ａの中心位置への取付ボルトＡの取り付けを容易にできるとともに、埋込設置用照明器具１をバランス良く天井面Ｃの設置開口Ｄに埋込設置して取り付けることができる。
【００４０】
また、発光板３のプリント基板３ａを固定するボルト３ｂを緩めることによって、ヒンジ５を介して発光板３の他側を下方に回動させることができ、ケース体２の底面部２ａの内側、すなわち収容凹部２ｅをケース体２の下側からアクセス可能に開放させて露出させることができる。さらにこの状態から、ヒンジ５を介して発光板３の他側を上方に回動させて取付片部３ｃに接触させ、ボルト３ｂを締め付け固定させることによって、この発光板３をケース体２内に水平に収容させることができる。
【００４１】
したがって、ケース体２から発光板３を取り外す等することなく、このケース体２を天井面Ｃの設置開口Ｄに嵌合させつつ、この設置開口Ｄ内に位置する取付ボルトＡをケース体２に挿通させて取り付けることができる。また同時に、このケース体２内に手を入れてナットＢを回転させて位置調整することもでき、このケース体２の設置開口Ｄへの取り付けをより容易にすることができる。さらに、ケース体２から発光板３を取り外す等することなく、ケース体２内にアクセスでき、このケース体２内の安定器７の点検作業や、交換作業を容易に行うことができるから、メンテナンスを容易にできる。
【００４２】
さらに、ケース体２の底面部２ａに断面凹状の収容凹部２ｅを設けて上方に突出させ、この収容凹部２ｅの底部２ｅａに取付開口２ｆを形成し、この収容凹部２ｅの上下方向の幅寸法である深さ寸法をナットＢの厚さ寸法より大きくした。この結果、取付開口２ｆの固定開口２ｆｂに取付ボルトＡを挿通させてナットＢを係止させた際に、このナットＢを収容凹部２ｅ内に収容させることができ、ケース体２の底面部２ａより下方へナットＢが突出しない。よって、このケース体２の底面部２ａより下方へのナットＢの突出を無くすことができるから、ケース体２内のスペースをよりすっきりとさせることができる。
【００４３】
以上から、埋込設置用照明器具１は、ケース体２の中心位置に取付ボルトＡを確実に固定することができ、ケース体２に発光板３のプリント基板３ａの一側が固定され、拡散板４がスプリングにて落下防止されている、振動に強い構造である。したがって、地震による被害等を受けにくい地震対策用の埋込設置用照明器具１となる。
【００４４】
＜その他＞
なお、上記一実施形態では、発光板３の一側縁をヒンジ５を介してケース体２の周面部２ｂの内側面に固定し、このヒンジ５を介して発光板３の他側を下方に回動可能にしたが、本考案はこの構成に限られるものではなく、この発光板３をケース体２から取り外し可能にすることもできる。
【００４５】
また、本考案の埋込設置用照明器具１は、取り付ける位置や要望する明るさ等に応じて種々の大きさや出力を有する様々なタイプに対応させることができる。このとき、ケース体２の底面部２ａをある程度大きくした場合等には、このケース体２の底面部２ａに複数の取付開口２ｆを設け、これら各取付開口２ｆに取付ボルトＡを挿通させてナットＢを係止させ天井面Ｃに確実に固定させることもできる。
【００４６】
さらに、取付ボルトＡの端部に円盤状の座金（図示せず）を挿通させてから、この取付ボルトＡの端部にナットＢを取り付ける構成とし、埋込設置用照明器具１のケース体２の取付開口２ｆの挿通開口２ｆａの内径寸法を、座金の外径寸法より若干大きくして挿通可能にし、座金が取り付けられた取付ボルトＡへの取り付けを容易にすることもできる。
【００４７】
また、埋込設置用照明器具１のケース体２の大きさを既存の埋込設置用照明器具のケース体より一回り小さく等することにより、天井面Ｃに取り付けられた既存の埋込設置用照明器具のケース体に埋込設置用照明器具１を嵌め込んで天井面Ｃに取り付けることもできる。この場合には、既存の埋込設置用照明器具を取り外す必要がないため、既存の埋込設置用照明器具の廃棄を不要にできる。また同時に、天井面Ｃに確実に固定されている既存の埋込設置用照明器具に、新たな埋込設置用照明器具１を嵌合させてねじ止め等して固定するだけで、この埋込設置用照明器具１を天井面Ｃに確実に取り付けることができる。よって、この埋込設置用照明器具１の取り付け作業をより容易にできる。
【符号の説明】
【００４８】
１      埋込設置用照明器具
２      ケース体（器具本体）
２ａ    底面部
２ｂ    周面部
２ｃ    開口部
２ｄ    係止片部
２ｅ    収容凹部
２ｅａ  底部
２ｅｂ  縁部
２ｆ    取付開口
２ｆａ  挿通開口（挿通部）
２ｆｂ  固定開口（固定部）
２ｆｃ  内縁部
３      発光板
３ａ    プリント基板（板材）
３ｂ    ボルト
３ｃ    取付片部
３ｄ    発光ダイオード
３ｅ    コネクタ
４      拡散板
５      ヒンジ
５ａ    一側片
５ｂ    他側片
６ａ    電線
６ｂ    電線
６ｃ    電線保護チューブ
７      安定器
８      スプリング
９      フレーム体
Ａ      取付ボルト
Ｂ      ナット
Ｃ      天井面
Ｄ      設置開口
Ｅ      天井裏
【図１】
0003174800.tif 000003
【図２】
0003174800.tif 000004
【図３】
0003174800.tif 000005
【図４】
0003174800.tif 000006
【図５】
0003174800.tif 000007